(57)【要約】  身体を昇降させ運搬するための装置は、共通の中央部を有する、二つの同形の平行四辺形部材（２、３）から成る基本要素（１）を備え、中央部は垂直方向に並進動作が可能であり、平行四辺形部材のそれぞれの角部は、平行四辺形部材の長辺および短辺がその回りに自由に回転可能なヒンジ点（５）を形成している。さらに、装置は身体を保持する第一および第二の手段を備え、これらは基本要素（１）の二つの下方外側の角部（６、７）それぞれに連結されている。【選択図】図２
2010502344.tif 000002
【特許請求の範囲】
【請求項１】
共通の短辺を有する、二つの同形である平行四辺形部材からなる基本要素（１）を備え、
前記短辺は中央に位置して垂直方向に並進移動できるよう取付けられおり、
前記平行四辺形部材のそれぞれの角部は、前記平行四辺形部材の長辺および短辺がその回りに自由に回転可能なヒンジ点（５）を形成しており、
前記基本要素（１）の二つの下方外側の角部（６、７）のそれぞれに接続された、身体を保持する第一および第二の手段（８、９）を、さらに備える、身体昇降運搬装置。
【請求項２】
前記保持手段（８、９）は前記下方の角部（６、７）の回りを回転するよう取付けられ、それぞれの保持手段は、上方端部（１２）および下方端部（１０、１１）を備え、前記上方端部（１２）は接続され、中央の短辺（４）上を摺動するよう取付けられており、前記下方の端部（１０、１１）は身体を支持するよう構成されている支持部材（１３、１４）を備える、請求項１に記載の身体昇降運搬装置。
【請求項３】
前記身体昇降運搬装置のそれぞれの端部に配置されている二つの基本要素（１）を備える、請求項１または２に記載の身体昇降運搬装置。
【請求項４】
前記基本要素は水平部材（１５〜１８）により互いに接続されており、水平部材の端部は前記平行四辺形部材の角部の一つに接続されている、請求項３に記載の身体昇降運搬装置。
【請求項５】
水平部材（１５）は、前記基本要素の中央上方の角部に接続され、前記水平部材は、さらに昇降システム、例えば昇降機、の把持要素（１７）、例えばフック、によって保持されるよう構成される保持要素（２１）、例えばリング、を備える、請求項４に記載の身体昇降運搬装置。
【請求項６】
捕獲要素（１６）が前記水平部材（１５）に沿って摺動するよう取付けられる、請求項５に記載の身体昇降運搬装置。
【請求項７】
保持手段の動作を干渉または解放するよう構成された干渉手段を備える、請求項１から６の何れか一項に記載の身体昇降運搬装置。
【請求項８】
前記干渉手段はダッシュポットから成る、請求項７に記載の身体昇降運搬装置。
【請求項９】
前記支持部材（１３、１４）は細長く、前記支持部材の短辺は前記身体昇降運搬装置の中央方向に向かって減少する厚さ部分を有する、請求項２から８の何れかに一項に記載の身体昇降運搬装置。
【発明の詳細な説明】
【技術分野】
【０００１】
本発明は、身体を移動させる必要のある病院環境またはその他の類似の環境における、身体の昇降および運搬に関する。
【背景技術】
【０００２】
身体を昇降し移動させるための様々な装置が既に存在している。そのような装置を単なる例示目的で挙げると、以下の特許文献に開示されている。
【先行技術文献】
【特許文献】
【０００３】
【特許文献１】英国特許第２３５６３８４号明細書
【特許文献２】米国特許第２４４９８９８号明細書
【特許文献３】米国特許第２２０３７３２号明細書
【特許文献４】米国特許第１９４８６１１号明細書
【発明の概要】
【発明が解決しようとする課題】
【０００４】
本発明が解決することを提案する課題は、先行技術による装置の改良にある。
【課題を解決するための手段】
【０００５】
本発明において、前述の課題に対する解決策は、共通の短辺を有する、二つの等しい平行四辺形部材からなる基本要素を備え、前記短辺は中央に位置して垂直方向に並進移動できるよう取付けられおり、前記平行四辺形部材のそれぞれの角部は、前記平行四辺形部材の長辺および短辺がその回りに自由に回転可能なヒンジ点を形成しており、さらに、前記基本要素の二つの下方外側の角部のそれぞれに接続された、身体を保持する第一および第二の手段を備える、身体昇降運搬装置から構成されている。
【０００６】
本出願に添付された図によりさらによくわかるように、本発明による装置の中央部分において、例えば昇降機により最下部から最上部まで引張力が掛けられる場合に、中央の短辺は上方に移動し、平行四辺形部材の下方外側にある端部は略水平方向に互いに近づくよう移動する。これによって、装置は身体を保持することができるようになる。
【０００７】
有利には、前記複数の保持手段が、平行四辺形部材の前記下方の角部の回りに回転するよう取付けられている。それぞれの手段は上端部および下端部を備えており、前記上端部は接続され、平行四辺形部材の中央短辺上を摺動するよう取付けられており、前記下端部は水平方向に配置された支持部材を備えている。
【０００８】
本発明による装置は、好ましくは、装置のそれぞれの端部に配置された二つの基本要素が設けられている。さらに、二つより多くの基本要素が使用されてもよい。
【０００９】
本発明の好ましい変形態様によれば、基本要素は水平部材により互いに接続され、水平部材の端部は前記複数ある角部の一つに取付けられている。
【００１０】
一実施形態において、水平部材は、基本要素の中央上方にある角部に接続され、さらに前記水平部材は、保持要素、例えばリングを備え、それにより昇降システム、例えば昇降機の把持要素、例えばフックにより保持されるよう構成されている。
【００１１】
有利には、捕獲要素が前記水平部材に沿って摺動可能に取付けられており、これにより身体の重心に従い装置の安定性を調整することが可能になっている。
【００１２】
特に有利な一実施形態によれば、装置は、保持手段の動作を干渉または解放するよう構成される干渉手段、例えばダッシュポットを備える。
【００１３】
支持部材は好ましくは細長く、支持部材の短辺は装置中央の方向に減少する厚さ部分を有する。このことにより、患者の下方に支持部材を挿入することが容易になる。
【００１４】
これ以降、次の図により示された例を用いて、本発明をより詳細に述べる。
【図面の簡単な説明】
【００１５】
【図１】図１は、本発明による基本要素の概略図である。
【図２】図２は、身体を保持する前の、本発明による装置の一例を示す図である。
【図３】図３は、身体が一旦保持された状態の、図２の装置を示す図である。
【図４】図４は、図２および図３の装置の側面を示す図である。
【図５】図５は、図１の基本要素に類似する、身体の保持手段が付設された基本要素であって、さらにその平行四辺形部材の中央短辺が、把持要素例えば昇降機のフックを受けるよう構成された保持リングになっている基本要素を示す図である。
【図６】図６は、本発明による装置の典型的な実施形態であって、水平管の集成体によって互いに連結された図２に示される二つの基本要素から成る装置を示す図である。
【図７】図７は、保持手段を形成する支持部材が付設されている図３の装置と同一装置を示す図である。
【図８】図８は、図４の装置と類似する装置であって、半開き状態である装置を示す図である。
【図９】図９は、図５の装置を側方から見た図である。
【図１０】図１０は、環状の保持要素を示す図である。
【図１１】図１１は、保持手段の中央短辺と上端部との間の交点を示す拡大図である。
【図１２】図１２は、前述した図の装置に類似する装置を用いた手段により昇降させる種々の工程を示す図であり、レバーを有するダッシュポットを備えている点で異なる。
【図１３】図１３は、前述した図の装置に類似する装置を用いた手段により昇降させる種々の工程を示す図であり、レバーを有するダッシュポットを備えている点で異なる。
【図１４】図１４は、前述した図の装置に類似する装置を用いた手段により昇降させる種々の工程を示す図であり、レバーを有するダッシュポットを備えている点で異なる。
【図１５】図１５は、前述した図の装置に類似する装置を用いた手段により昇降させる種々の工程を示す図であり、レバーを有するダッシュポットを備えている点で異なる。
【図１６】図１６は、前述した図の装置に類似する装置を用いた手段により昇降させる種々の工程を示す図であり、レバーを有するダッシュポットを備えている点で異なる。
【図１７】図１７は、図１２から図１６の装置に類似する装置を用いて昇降させる種々の工程を示す図である。
【図１８】図１８は、図１２から図１６の装置に類似する装置を用いて昇降させる種々の工程を示す図である。
【図１９】図１９は、図１２から図１６の装置に類似する装置を用いて昇降させる種々の工程を示す図である。
【図２０】図２０は、図１２から図１６の装置に類似する装置を用いて昇降させる種々の工程を示す図である。
【図２１】図２１は、図１２から図１６の装置に類似する装置を用いて昇降させる種々の工程を示す図である。
【図２２】図２２は、図１２から図１６の装置に類似する装置を用いて昇降させる種々の工程を示す図である。
【発明を実施するための形態】
【００１６】
基本要素１は、図１において概略的に示されており、同一寸法の二つの平行四辺形部材３、４から構成されている。基本要素１は中央に共通する短辺４を有し、短辺４は垂直方向に並進移動可能に取付けられている。平行四辺形部材のそれぞれの角部は、平行四辺形部材の長辺および短辺がその回りに自由に回転可能なヒンジ点５を形成している。
【００１７】
身体を保持する要素８、９（図２および図３参照）は、それぞれ下方外側の角部６、７に回転するよう接続されており、前記要素の下方端部１０、１１は、身体１９を支持するよう構成された支持部材１３、１４から成る。各保持要素８、９の上端部１２は接続され、二つの平行四辺形部材３、４の共通する短辺４に摺動するよう取付けられている。これによって、装置の中央部品４、１２の上方向の引張力により、二つの連続的な工程、すなわち、持上げ工程に続いて、身体を載せた装置が閉ざされる工程が引き起こされる。
【００１８】
本実施例において記載された装置は、装置のそれぞれの端部に配置された二つの基本要素１を備えている（図４参照）。その二つの基本要素は、水平部材１５〜１８により互いに結合されている。環状の保持部材２１は、水平部材１５〜１８に沿って摺動するよう取付けられている。
【００１９】
干渉手段２０、例えばダッシュポットの使用は、保持手段８、９を開けた状態に保ち、
一旦、身体１９に対して停止すれば、身体１９が押しつぶされるのを防止するようになる。最終的に、一旦身体１９が保持手段８、９に載置されれば、干渉手段２０は保持手段８、９を開けることが可能になる。
【００２０】
図１０から図１６の写真に示された装置の上部構造は、集成体が昇降機のフックから吊り下げられたときに、二つの軸に沿った水平な平衡状態を得ることを可能にしている。
【００２１】
本発明による装置が昇降機の電源以外のエネルギ源を使用せずに作動することは注目すべきことである。
【００２２】
さらに、本発明による装置は、如何なる表面の種類（ステンレス鋼、マットレス、ウォータベッド、エアーベッド等）の上に配置された身体を保持するのにも使用することができる。
【００２３】
保持手段の材料は、身体が配置された表面における、材料の強度および摺動性に応じて選択される。
【００２４】
管の長辺および角部は、身体の寸法および利用可能空間（検視および準備用のテーブル、小規模な場所等）に対して容易に対応することができる。
【００２５】
本発明は、さらに、先行技術の装置と比較して他の有利な点を備えている。特に、本発明は一人でも身体を昇降させ運搬することを可能にし、２００ｋｇまたはそれ以上の身体を容易に扱うことができる。さらに、身体の保持をすることにより、身体を損傷することなく、非常に丁寧に運搬することが可能になり、従って、身体を棺桶に置くことに本発明による装置を使用することができる。さらに、干渉手段があることにより、昇降または運搬時の不注意による装置の開口が防止される。
【００２６】
本発明は、出願書類に示された例に明らかに限定されるものではない。次の表現「身体」は、主に「死体」として理解されるべきである。そのため、装置はある環境例えば死体安置所、礼拝室または検死室において使用されることが特に意図されている。しかしながら、本発明は生存している人間または動物を昇降させるのに使用することもできる。
【図１】
2010502344.tif 000003
【図２】
2010502344.tif 000004
【図３】
2010502344.tif 000005
【図４】
2010502344.tif 000006
【図５】
2010502344.tif 000007
【図６】
2010502344.tif 000008
【図７】
2010502344.tif 000009
【図８】
2010502344.tif 000010
【図９】
2010502344.tif 000011
【図１０】
2010502344.tif 000012
【図１１】
2010502344.tif 000013
【図１２】
2010502344.tif 000014
【図１３】
2010502344.tif 000015
【図１４】
2010502344.tif 000016
【図１５】
2010502344.tif 000017
【図１６】
2010502344.tif 000018
【図１７】
2010502344.tif 000019
【図１８】
2010502344.tif 000020
【図１９】
2010502344.tif 000021
【図２０】
2010502344.tif 000022
【図２１】
2010502344.tif 000023
【図２２】
2010502344.tif 000024
【国際調査報告】
2010502344.tif 000025
2010502344.tif 000026
2010502344.tif 000027
2010502344.tif 000028
2010502344.tif 000029
2010502344.tif 000030